(57)【要約】      （修正有）【課題】接着剤等の塗布材を塗布するために用いられる塗布具において、その開封状態を容易に判別することができる塗布具を提供する。【解決手段】塗布具１０は、液体の塗布材の吐出口１２を設けた第１ハウジング１４と、第１ハウジング１４とスライド可能に連結された第２ハウジング１５と、第２ハウジング１５内に配置され、前記塗布材を貯蔵する貯蔵容器１６と、第１ハウジング１４内に配置され、吐出口１２までの吐出チューブ１９に連通し、貯蔵容器１６に刺し通すことで該貯蔵容器１６内の塗布材を吐出チューブ１９へと流出させる針体２０と、第１ハウジング１４外に露出した操作部２２ａ及び第２ハウジング１５内で貯蔵容器１６を押圧する押出部２２ｃを有して揺動可能な操作レバー２２と、操作レバー２２を揺動可否を切り替えるロック機構２４とを備える。【選択図】図２
0003156040.tif 000002
【実用新案登録請求の範囲】
【請求項１】
液体の塗布材の吐出口を設けた第１ハウジングと、
前記第１ハウジングとスライド可能に連結された第２ハウジングと、
前記第２ハウジング内に配置され、前記塗布材を貯蔵する貯蔵容器と、
前記第１ハウジング内に配置され、前記吐出口までの吐出経路に連通し、前記貯蔵容器に刺通することで該貯蔵容器内の前記塗布材を前記吐出経路へと流出させる針体と、
前記第１ハウジング外に露出した操作部、及び、前記第２ハウジング内で前記貯蔵容器を押圧して前記塗布材を流出させる押出部を有し、前記操作部及び前記押出部を交互に上下動させる方向に揺動可能な操作レバーと、
前記貯蔵容器に前記針体が刺通される前の未開封状態で、前記操作レバーを揺動不能にロックする一方、前記貯蔵容器に前記針体が刺通された開封状態で、前記操作レバーを揺動可能にロック解除するロック機構と、
を備え、
前記第１ハウジングと前記第２ハウジングとが互いに近接する方向にスライドされることにより、前記針体が前記貯蔵容器を刺通して当該塗布具が開封状態となることを特徴とする塗布具。
【請求項２】
請求項１記載の塗布具において、
前記未開封状態では、前記操作部は前記第１ハウジングの外面に実質的に面一に配置され、前記開封状態では、前記操作部は前記第１ハウジングの外面から押し上げられた位置に設定されることを特徴とする塗布具。
【請求項３】
請求項１又は２記載の塗布具において、
前記操作レバーは、一端側に前記操作部が設けられ、他端側に前記押出部が設けられ、前記操作部及び前記押出部の間を連結するシャフト部が前記第１ハウジング及び前記第２ハウジングに対して軸支されていることを特徴とする塗布具。
【請求項４】
請求項３記載の塗布具において、
前記操作レバーは、前記シャフト部の略中央部から側方に突出した第１軸と、
前記押出部の近傍から側方に突出した第２軸と、
を有し、
前記ロック機構は、前記第１軸が上下動可能に係合する前記第１ハウジングの内壁面に設けられた縦溝と、
前記第１軸が前記第１ハウジングと前記第２ハウジングとのスライドに伴って斜め上方に上昇可能に係合する斜め溝と、
前記第２軸が前記未開封状態で係合し、前記開封状態で外れる横溝と、
を有することを特徴とする塗布具。
【請求項５】
請求項１〜４のいずれか１項に記載の塗布具において、
前記第１ハウジング及び前記第２ハウジングのいずれか一方には、前記未開封状態で外部に露出しており、前記開封状態で前記第１ハウジング又は前記第２ハウジングの内面側に隠れると共に、前記第１ハウジング及び前記第２ハウジングの外面と異なる色彩が施された開封状態判定部が設けられていることを特徴とする塗布具。
【考案の詳細な説明】
【技術分野】
【０００１】
本考案は、接着剤等の塗布材を塗布するために用いられる塗布具に関する。
【背景技術】
【０００２】
例えば、外科手術において人工血管と生体の血管とを接合するために、シアノアクリレートやイソシアネート等の生体親和性が高い接着剤（瞬間接着剤）を用いることがあり、他の体組織の接合処置でも同様である。
【０００３】
このような接着剤を塗布するための塗布具として、特許文献１には、接着剤を貯留したカプセルを使用直前に押圧・破壊し、破壊されたカプセルから流出した接着剤をロッド状の吐出口から吐出して、体組織の所望の位置に塗布する構成の外科接着剤塗布具（接着剤アプリケータ）が開示されている。
【先行技術文献】
【特許文献】
【０００４】
【特許文献１】特開２００８−１３２３１４号公報
【考案の概要】
【考案が解決しようとする課題】
【０００５】
上記特許文献１に記載の構成では、外圧によりカプセルを破壊すると、該カプセルを収納したハウジング状の球形部内に接着剤が流出し、これにより、塗布作業を実行可能な開封状態となる。ところが、前記ハウジング状の球形部内の状況、つまりカプセルの破壊の有無を外部から把握することができず、このため当該塗布具が開封状態か否かを迅速に判別することが困難となっている。
【０００６】
従って、カプセルが破壊されていない未開封状態のまま術者が塗布を試みた場合には、接着剤の塗布を迅速に行うことができず、手術時間や患者負担が増加する可能性がある。また、未開封状態であると認識していたにも係わらずカプセルが破壊されてしまっている場合等では、開封作業を行おうとした瞬間に又は偶発的に接着剤が吐出されてしまう可能性もある。さらに、当該塗布具では、未使用品と使用済み品との判別が困難であることから、未使用品の管理や使用済み品の廃棄等に要する手間が煩雑となる可能性もある。
【０００７】
本考案はこのような従来の課題を考慮してなされたものであり、接着剤等の塗布材を塗布するために用いられる塗布具において、その開封状態を容易に判別することができる塗布具を提供することを目的とする。
【課題を解決するための手段】
【０００８】
本考案に係る塗布具は、液体の塗布材の吐出口を設けた第１ハウジングと、前記第１ハウジングとスライド可能に連結された第２ハウジングと、前記第２ハウジング内に配置され、前記塗布材を貯蔵する貯蔵容器と、前記第１ハウジング内に配置され、前記吐出口までの吐出経路に連通し、前記貯蔵容器に刺通することで該貯蔵容器内の前記塗布材を前記吐出経路へと流出させる針体と、前記第１ハウジング外に露出した操作部、及び、前記第２ハウジング内で前記貯蔵容器を押圧して前記塗布材を流出させる押出部を有し、前記操作部及び前記押出部を交互に上下動させる方向に揺動可能な操作レバーと、前記貯蔵容器に前記針体が刺通される前の未開封状態で、前記操作レバーを揺動不能にロックする一方、前記貯蔵容器に前記針体が刺通された開封状態で、前記操作レバーを揺動可能にロック解除するロック機構とを備え、前記第１ハウジングと前記第２ハウジングとが互いに近接する方向にスライドされることにより、前記針体が前記貯蔵容器を刺通して当該塗布具が開封状態となることを特徴とする。
【０００９】
このような構成によれば、互いにスライド可能な第１ハウジング及び第２ハウジングと、貯蔵容器に針体が刺通される前の未開封状態で操作レバーを揺動不能にロックする一方、貯蔵容器に針体が刺通された開封状態で操作レバーを揺動可能にロック解除するロック機構とを備え、第１ハウジングと第２ハウジングとが互いに近接する方向にスライドされることにより、針体が貯蔵容器を刺通して当該塗布具が開封状態となる。すなわち、第１ハウジングと第２ハウジングとが互いに近接方向にスライドされているか否かを視認することで、未開封状態と開封状態とを容易に判別することができるため、誤操作等の偶発的な操作が防止されると共に、未使用品の保管・管理や使用済み品の廃棄等に要する手間を軽減することができる。
【００１０】
この場合、前記未開封状態では、前記操作部は前記第１ハウジングの外面に実質的に面一に配置され、前記開封状態では、前記操作部は前記第１ハウジングの外面から押し上げられた位置に設定されると、未開封状態と開封状態との判別が一層容易となると共に、未開封状態での操作部への誤操作も確実に防止することができる。
【００１１】
前記操作レバーは、一端側に前記操作部が設けられ、他端側に前記押出部が設けられ、前記操作部及び前記押出部の間を連結するシャフト部が前記第１ハウジング及び前記第２ハウジングに対して軸支されていると、例えば、操作部を押し下げ操作することで押出部が上昇するため、該押出部で貯蔵容器を容易に押圧することができる。
【００１２】
また、前記操作レバーは、前記シャフト部の略中央部から側方に突出した第１軸と、前記押出部の近傍から側方に突出した第２軸とを有し、前記ロック機構は、前記第１軸が上下動可能に係合する前記第１ハウジングの内壁面に設けられた縦溝と、前記第１軸が前記第１ハウジングと前記第２ハウジングとのスライドに伴って斜め上方に上昇可能に係合する斜め溝と、前記第２軸が前記未開封状態で係合し、前記開封状態で外れる横溝とを有する構成としてもよい。そうすると、未開封状態では操作レバーは、第１軸が縦溝及び斜め溝で支持され、第２軸が横溝で支持されることにより揺動不能で実質的に固定された状態となるため、誤操作や搬送時のガタツキ等が防止される。一方、第１ハウジングと第２ハウジングとを互いに引き寄せて開封する際、操作レバーは、第１軸が縦溝及び斜め溝に沿って移動して操作部が上昇し、第２軸が横溝から外れるため、第１軸を支点として揺動可能な状態となるため、開封と同時に吐出準備を完了させることができる。
【００１３】
前記第１ハウジング及び前記第２ハウジングのいずれか一方には、前記未開封状態で外部に露出しており、前記開封状態で前記第１ハウジング又は前記第２ハウジングの内面側に隠れると共に、前記第１ハウジング及び前記第２ハウジングの外面と異なる色彩が施された開封状態判定部が設けられていると、当該塗布具が未開封状態であること及び開封状態であることを一層容易に判別することができる。
【考案の効果】
【００１４】
本考案によれば、互いにスライド可能な第１ハウジング及び第２ハウジングと、貯蔵容器に針体が刺通される前の未開封状態で操作レバーを揺動不能にロックする一方、貯蔵容器に針体が刺通された開封状態で操作レバーを揺動可能にロック解除するロック機構とを備え、第１ハウジングと第２ハウジングとが互いに近接する方向にスライドされることにより、針体が貯蔵容器を刺通して当該塗布具が開封状態となる。すなわち、第１ハウジングと第２ハウジングとが互いに近接方向にスライドされているか否かを視認することで、未開封状態と開封状態とを容易に判別することができるため、誤操作等の偶発的な操作が防止されると共に、未使用品の保管・管理や使用済み品の廃棄等に要する手間を軽減することができる。
【図面の簡単な説明】
【００１５】
【図１】本考案の一実施形態に係る塗布具の未開封状態での斜視図である。
【図２】図１に示す塗布具の未開封状態での側面断面図である。
【図３】第１ハウジング及び第２ハウジング内に収容される操作レバー及びロック機構の分解斜視図である。
【図４】図１に示す状態から第１ハウジング及び第２ハウジングを互いに押し込んで当該塗布具を開封した状態での斜視図である。
【図５】図２に示す状態から第１ハウジング及び第２ハウジングを互いに押し込んで当該塗布具を開封した状態での側面断面図である。
【考案を実施するための形態】
【００１６】
以下、本考案に係る塗布具について、好適な実施の形態を挙げ、添付の図面を参照しながら説明する。
【００１７】
図１は、本考案の一実施形態に係る塗布具１０の斜視図であり、後述する未開封状態での状態を示している。図２は、図１に示す塗布具１０の未開封状態での側面断面図である。本実施形態に係る塗布具１０は、例えば、大動脈置換術において人工血管と生体血管とを縫い合わせた後、その縫い合わせ部位に所定の接着剤（塗布材）を塗布するために用いられる外科接着剤塗布具（外科接着剤アプリケータ）であり、通常、１回の開封・使用で使い捨てされる。前記接着剤としては、例えば、シアノアクリレートやイソシアネート等の生体親和性が高く、粘性の低い液体状のものが用いられる。なお、塗布具１０は、このような医療用の接着剤の塗布具としての用途以外、例えば工業用等の他の種類の接着剤や塗料等の塗布具として用いることもできる。
【００１８】
図１及び図２に示すように、塗布具１０は、先端に接着剤（塗布材）の吐出口１２を有する第１ハウジング（フロントハウジング）１４と、第１ハウジング１４の後端側に互いにスライド可能に連結された第２ハウジング（リヤハウジング）１５とを備える。第２ハウジング１５の内壁面には、前記接着剤を貯蔵する貯蔵容器（カートリッジ）１６が支持部材１８を介して固定されている。第１ハウジング１４内には、貯蔵容器１６内の接着剤を吐出口１２へと流通させるための吐出チューブ（吐出経路）１９と、吐出チューブ１９の上流側に連通する針体２０とが配置されている。
【００１９】
さらに、塗布具１０は、第１ハウジング１４から第２ハウジング１５まで延び、接着剤を吐出する際に術者等が操作する操作レバー２２と、該操作レバー２２への操作（入力）の可否を切り替えるロック機構２４とを備える。塗布具１０は、必要に応じて、吐出口１２に針金芯により自由に形状を構成可能な先端チューブ（図示せず）を接続して使用される。
【００２０】
なお、理解を容易にするために、各図において、Ｘ１方向を前方（先端）と呼び、その反対方向であるＸ２方向を後方（後端）と呼び、Ｘ１及びＸ２方向と直交するＹ１方向を上方と呼び、その反対方向であるＹ２方向を下方と呼ぶ。
【００２１】
第１ハウジング１４及び第２ハウジング１５は、例えば、樹脂等で構成されており、第１ハウジング１４の後端開口と第２ハウジング１５の先端開口とがそれぞれ互いに対向して重ねられた状態で連結されている。第１ハウジング１４は、先端の吐出口１２から後方へと延びる途中に幅狭部１４ａを有し、第２ハウジング１５は、湾曲した上面を有する幅広部１５ａを有する。従って、これら第１ハウジング１４及び第２ハウジング１５は、後述する開封状態（図４参照）では、術者等が片手で安定して把持（グリップ）することができる程度の大きさで一体的に前後方向に延びた状態となるため、術者等は幅広部１５ａに手の平を当てて、幅狭部１４ａの周囲に人差し指や中指をかけることで、高い操作安定性を得ることができる。さらに、図１に示すように、幅狭部１４ａの外周面（幅狭部１４ａの下面及び両側面）には、滑り止め溝２６が形成されており、これにより操作中の滑りが防止され、一層安定して塗布具１０を把持することが可能となっている。
【００２２】
図２に示すように、第１ハウジング１４の後端には、多少縮径して後方に延びた連結部２８が設けられている。連結部２８の端部には、外方に僅かに突出した凸部３０が設けられている。該凸部３０は、第２ハウジング１５の先端内側に、例えば前後方向で２段に形成された凹部３２ａ、３２ｂに対して、順に係合可能である。
【００２３】
図３は、第１ハウジング１４及び第２ハウジング１５内に収容される操作レバー２２及びロック機構２４の分解斜視図である。図１〜図３に示すように、操作レバー２２は、第１ハウジング１４の幅狭部１４ａの上面に形成された孔部３４から上方に露出した操作部（操作板）２２ａと、操作部２２ａから後方に延びたシャフト部２２ｂと、シャフト部２２ｂの後端から上方に膨らんだ側面視半円状の押出部２２ｃとを有する。
【００２４】
図１及び図２に示すように、操作部２２ａは、幅狭部１４ａの上方に露出した部分が平面視で丸みを帯びた略三角形状のプレートであり、術者等が幅広部１５ａに手の平を当てて、幅狭部１４ａに人差し指等をかけた姿勢で、親指を安定して当てることができる位置・形状に設定されている。図１及び図２から諒解されるように、当該塗布具１０の未開封状態では、操作部２２ａは第１ハウジング１４の上面に形成された略同形状の収納凹部１４ｂ内に収納されており、当該塗布具１０の意匠面（外面）と実質的に面一に配置される。
【００２５】
図３に示すように、シャフト部２２ｂの略中央部には、その幅方向（Ｘ１・Ｘ２方向に直交する短手方向）で両側に延びた一対の第１ピン（第１軸）３６、３６が設けられ、シャフト部２２ｂの後端部、つまり押出部２２ｃの近傍には、第１ピン３６と略同一形状で両側に延びた一対の第２ピン（第２軸）３８、３８が設けられている。
【００２６】
第１ピン３６は、その先端部が第１ハウジング１４の内側の両側面に設けられた一対の縦溝４０、４０に軸支され、該縦溝４０に沿って上下方向（Ｙ１・Ｙ２方向）に移動自在である。さらに、第１ピン３６は、縦溝４０よりも基端側が、第２ハウジング１５に固定されて第１ハウジング１４内へと延びた一対の平行な支持プレート４２、４２の先端側の斜め溝４４に軸支され、該斜め溝４４に沿って斜め上下方向に移動自在である。斜め溝４４は、傾斜部位の先端側と後端側に、それぞれＸ１・Ｘ２方向（第１ハウジング１４と第２ハウジング１５のスライド方向）に略平行した平行部４４ａ、４４ｂを有する。平行部４４ａの前後方向長さは、例えば第１ピン３６の直径の２〜３倍程度に設定され、平行部４４ｂの前後方向長さは、例えば第１ピン３６の直径と略同一に設定される。
【００２７】
支持プレート４２の後端には、Ｘ１・Ｘ２方向に延びて後方が開口した横溝４６が設けられている。第２ピン３８は横溝４６に軸支され、該横溝４６に沿って前後方向（Ｘ１・Ｘ２方向）に移動自在であると共に、図４及び図５に示す当該塗布具１０の開封状態では横溝４６から後方に外れた位置に配置される。
【００２８】
図２に示すように、吐出チューブ１９は、下流側（先端）が吐出口１２に連結され、上流側（後端）が針体２０の本体部２０ａの先端に連結されている。該本体部２０ａの内部には、吐出チューブ１９に連通する連通路が形成されており、該連通路は本体部２０ａの後端から後方に向けて突き出した針先２０ｂの先端で開口している。針体２０の本体部２０ａは、シャフト部２２ｂの上方位置で第１ハウジング１４の内面に固定されている。
【００２９】
貯蔵容器１６には、くびれ部１６ａが形成され、くびれ部１６ａの後方に位置して押出部２２ｃが押圧可能な本体部１６ｂと、くびれ部１６ａの前方に位置して針体２０（針先２０ｂ）が刺通可能な被刺通部１６ｃとが設けられている。貯蔵容器１６は、少なくとも本体部１６ｂが弾力性を有する材質で形成されており、外部から押圧されて変形しても自己の弾性力で元の形状に復元可能である。
【００３０】
支持部材１８は、側面視で貯蔵容器１６と略同尺に延びた扁平板状の棒体であり、第２ハウジング１５の内面に固定されている。支持部材１８の上面には、貯蔵容器１６が固定される。該固定は、例えばくびれ部１６ａに図示しない固定バンド等をかけて、又は接着や融着等により行うとよい。このように、貯蔵容器１６は、支持部材１８を介して第２ハウジング１５の内面に固定されているが、該支持部材１８を省略して貯蔵容器１６を直接的に第２ハウジング１５に固定してもよい。
【００３１】
支持部材１８の略中央部には、該支持部材１８に固定される貯蔵容器１６の本体部１６ｂに対応して開口した前後方向に長い押出孔４８が形成されている。押出孔４８は、操作レバー２２の押出部２２ｃが上下方向に通過可能であり、該押出部２２ｃよりも前後方向に大きな形状である。
【００３２】
図２に示すように、第１ハウジング１４後端の凸部３０が、第２ハウジング１５の前方側の凹部３２ａに係合した状態、つまり第１ハウジング１４と第２ハウジング１５とが完全に連結されていない状態では、針体２０が貯蔵容器１６に刺通されていない状態（未開封状態）となっており、連結部２８が外部に露出している（図１及び図２参照）。
【００３３】
この未開封状態では、操作レバー２２の第１ピン３６は、第１ハウジング１４の縦溝４０と、第２ハウジング１５に固定された支持プレート４２の斜め溝４４先端の平行部４４ａとで支持され、第２ピン３８は、支持プレート４２の横溝４６内の奥部（先端側）で支持されている。従って、操作レバー２２は、第１ピン３６が前後方向（Ｘ１・Ｘ２方向）及び上下方向（Ｙ１・Ｙ２方向）に移動不能であり、第２ピン３８が上下方向（Ｙ１・Ｙ２方向）に移動不能であることから、実質的に第１ハウジング１４及び第２ハウジング１５内で固定されてガタツキが防止されている。同時に、操作部２２ａが収納凹部１４ｂ内に完全に収納された状態となり、押出部２２ｃが貯蔵容器１６を押圧することもない。
【００３４】
一方、図５に示すように、第１ハウジング１４後端の凸部３０が、第２ハウジング１５の後方側の凹部３２ｂに係合した状態、つまり第１ハウジング１４と第２ハウジング１５とが完全に連結された状態では、針体２０が貯蔵容器１６に刺通された状態（開封状態）となっており、連結部２８が第２ハウジング１５内に完全に収納されて隠れている（図４及び図５参照）。すなわち、貯蔵容器１６の第２ハウジング１５への固定位置は、前記開封状態で針体２０（針先２０ｂ）が被刺通部１６ｃに刺通可能な位置に設定されている。
【００３５】
この開封状態では、操作レバー２２の第１ピン３６は、第１ハウジング１４の縦溝４０と、第２ハウジング１５に固定された支持プレート４２の斜め溝４４後端の平行部４４ｂとで支持され、第２ピン３８は、支持プレート４２の横溝４６から外れた位置に配置されている。従って、操作レバー２２は、第１ピン３６が前後方向（Ｘ１・Ｘ２方向）及び上下方向（Ｙ１・Ｙ２方向）に移動不能であり、第２ピン３８が横溝４６の底面から上方向（Ｙ１方向）には移動可能なフリー状態であることから、第１ピン３６を支点として、いわゆるシーソーのような状態となる。このため、第１ピン３６を支点として操作部２２ａ及び押出部２２ｃが上下方向に交互に移動可能となり、例えば、操作部２２ａを押し下げると押出部２２ｃが上昇する。つまり、開封状態では、操作部２２ａは斜め溝４４の上下方向の高さ分に対応した分だけ収納凹部１４ｂから上方に押し出された状態となり、押出部２２ｃは貯蔵容器１６の本体部１６ｂを押圧可能な位置に設定される。
【００３６】
このように、本実施形態の場合、操作レバー２２への操作（入力）の可否、つまり操作レバー２２の揺動の可否を切り替えるロック機構２４は、第１ピン３６、第２ピン３８、縦溝４０、斜め溝４４及び横溝４６を有して構成されている。
【００３７】
なお、連結部２８は、前記未開封状態で、塗布具１０の外面に露出している部位の色彩が（図１及び図２参照）、第１ハウジング１４及び第２ハウジング１５の外面の色彩と異なっていることが好ましく、例えば第１ハウジング１４及び第２ハウジング１５が白色で連結部２８がオレンジ色等に設定される。これにより、連結部２８の色彩と第１ハウジング１４及び第２ハウジング１５の外面の色彩とを同色にした場合と比較して、塗布具１０が未開封状態であることを一層容易に判別することができ、つまり連結部２８が当該塗布具１０の開封状態を判定する開封状態判定部として機能する。
【００３８】
次に、以上のように構成される本実施形態に係る塗布具１０の作用について説明する。
【００３９】
図２に示すように、塗布具１０は、未開封状態（未使用状態）では、上記のように、第１ハウジング１４の凸部３０が、第２ハウジング１５の凹部３２ａに係合し、開封状態判定部である連結部２８が外部に露出した状態にある。このため、操作レバー２２は、第１ピン３６が縦溝４０と斜め溝４４先端の平行部４４ａとで支持されて前後方向及び上下方向に移動不能であり、第２ピン３８が横溝４６の奥部で支持されて上下方向に移動不能である。
【００４０】
すなわち、未開封状態ではロック機構２４がロック状態にあり、操作レバー２２が実質的に第１ハウジング１４及び第２ハウジング１５内で固定された操作不能な状態にあり、貯蔵容器１６内の接着剤が誤って吐出されることが確実に防止されている。
【００４１】
さらにこの状態では、操作部２２ａは収納凹部１４ｂ内に嵌合して誤操作が防止されており、術者等が不用意に操作部２２ａを操作してしまうことがなく、操作部２２ａが開封動作等の邪魔になることも有効に回避されている。
【００４２】
このような未開封状態から、塗布具１０を使用可能な開封状態とするためには、図５に示すように、第１ハウジング１４を第２ハウジング１５側にスライドさせて連結部２８を押し込み、第１ハウジング１４の凸部３０を第２ハウジング１５の凹部３２ｂに係合させ、両者を完全に連結させた開封状態（使用可能状態）にする。このような開封動作は、例えば、術者等が第２ハウジング１５を左手で把持し、第１ハウジング１４を右手で把持して両者を近接方向に押し付けることにより、容易に実施可能である。また、第１ハウジング１４を把持して第２ハウジング１５の後端を机上等に押し付けることにより、片手でも容易に実施可能である。
【００４３】
この際、第１ハウジング１４の第２ハウジング１５側へのスライド動作に伴い、針体２０も後方へと移動するため、針先２０ｂが貯蔵容器１６の被刺通部１６ｃを刺通し、貯蔵容器１６の内部が針体２０及び吐出チューブ１９を介して吐出口１２と連通される。すなわち、塗布具１０が接着剤（塗布材）を吐出可能な状態（開封状態）となる。
【００４４】
さらに、第１ハウジング１４の第２ハウジング１５側へのスライド動作により、第１ピン３６は第１ハウジング１４側の縦溝４０によって後方へ一体的に移動され、同時に支持プレート４２の斜め溝４４内を上昇し、最終的に平行部４４ｂに配置され、第２ピン３８は横溝４６から外れた位置となる。このような第１ピン３６の斜め溝４４に沿った上昇に伴い、操作レバー２２の操作部２２ａも上昇し、収納凹部１４ｂから上方に押し出された状態となり（ポップアップ）、同時に押出部２２ｃも押出孔４８内を後方に移動して貯蔵容器１６の本体部１６ｂの略中央部に対応して配置される（図４及び図５参照）。これにより、操作レバー２２が第１ピン３６を支点として揺動可能な状態（ロック解除状態）となると共に、操作部２２ａが上昇するため、開封と同時に吐出準備を完了させることができる。すなわち、操作部２２ａは、術者等が塗布具１０を把持した際、操作部２２ａは親指で操作しやすい適度な高さに設定されると共に、開封状態も一層容易に判別することができる。
【００４５】
次に、塗布具１０により接着剤（塗布材）を塗布する際には、例えば片手で塗布具１０を把持した術者等が親指等により操作部２２ａを押し下げる。そうすると、図５中に破線で示すように、操作レバー２２が揺動し、後端の押出部２２ｃが上方に移動するため、貯蔵容器１６の本体部１６ｂの略中央部が押出部２２ｃによって押圧される。
【００４６】
押出部２２ｃによって押圧された本体部１６ｂは、内方に弾性的に変形する（凹む）ため、該変形した貯蔵容器１６の体積分（排除容積分）だけ、内部の接着剤が針体２０の連通路へと流出し、吐出チューブ１９から吐出口１２へと供給されて所望の被塗布対象（例えば、人工血管と生体血管との接合部）へと塗布されることになる。この際、吐出口１２から接着剤が吐出されると、吐出口１２から吐出チューブ１９及び連通路を伝って貯蔵容器１６内へと空気が入り込む。従って、貯蔵容器１６内では吐出による接着剤の減少分が空気に置き換わるので、連続的に且つ均一に塗布材を吐出することが可能となる。しかも、１回吐出した後は、術者等が操作部２２ａへの負荷（押し下げ動作）を解除すると、貯蔵容器１６が自己の弾性力によって元の状態に復元するため、押出部２２ｃが下がると同時に、操作部２２ａが持ち上がり、次の吐出を一層容易に且つ連続的に行うことができる。
【００４７】
以上のように、本実施形態に係る塗布具１０では、互いにスライド可能な第１ハウジング１４及び第２ハウジング１５と、貯蔵容器１６に針体２０が刺通される前の未開封状態で操作レバー２２を揺動不能にロックする一方、貯蔵容器１６に針体２０が刺通された開封状態で操作レバー２２を揺動可能にロック解除するロック機構２４（例えば、第１ピン３６、第２ピン３８、縦溝４０、斜め溝４４及び横溝４６）を備え、第１ハウジング１４と第２ハウジング１５とが互いに近接する方向にスライドされて互いに係合されることにより、針体２０が貯蔵容器１６を刺通して当該塗布具１０が開封状態となる。すなわち、第１ハウジング１４と第２ハウジング１５とが互いに近接方向にスライドされているか否かを視認することで、未開封状態と開封状態とを容易に判別することができるため、誤操作等の偶発的な操作が防止されると共に、未使用品の保管・管理や使用済み品の廃棄等に要する手間を軽減することができる。
【００４８】
また、当該塗布具１０は、第１ハウジング１４と第２ハウジング１５とを互いに近接方向に押し込まない限り、ロック機構２４のロックが解除されず、操作部２２ａを操作することができないため、誤った開封や偶発的な操作を一層確実に防止することができる。
【００４９】
塗布具１０では、未開封状態では操作部２２ａは第１ハウジング１４の外面に実質的に面一に配置され（図１参照）、開封状態では、操作部２２ａは第１ハウジング１４の外面からポップアップする（図４参照）。これにより、術者等が塗布具１０を把持した際、操作部２２ａは親指や人差し指で操作しやすい適度な高さに設定されると共に、未開封状態と開封状態の判別を一層容易に行うことができる。
【００５０】
なお、本考案に係る塗布具は、上記の実施形態に限らず、本考案の要旨を逸脱することなく、種々の構成を採り得ることは勿論である。
【００５１】
例えば、貯蔵容器１６は、少なくとも針体２０が刺通可能な被刺通部１６ｃを有し、所定量の塗布材を貯蔵可能なものであればその形状や材質は特に限定されるものではなく、例えばくびれ部１６ａを省略した構成としてもよい。
【００５２】
また、上記塗布具１０では、第１ハウジング１４側に針体２０を設け、第２ハウジング１５側に貯蔵容器１６を設けた構成を例示したが、勿論、両者を逆に設置してもよく、要は、２つのハウジングのスライドにより、針体が貯蔵容器を刺通し、同時にロック機構が解除されて操作レバーが揺動可能且つ貯蔵容器を押圧可能な位置に設定される構成であればよい。
【００５３】
さらに、第１ハウジング１４と第２ハウジング１５とのスライド・係合の構造は、両者を互いにスライド可能及び係合・固定可能な構造であれば、上記した連結部２８、凸部３０及び凹部３２ａ、３２ｂを用いた構成以外であっても勿論よい。
【符号の説明】
【００５４】
１０…塗布具                        １２…吐出口
１４…第１ハウジング                １５…第２ハウジング
１６…貯蔵容器                      １９…吐出チューブ
２０…針体                          ２０ｂ…針先
２２…操作レバー                    ２２ａ…操作部
２２ｂ…シャフト部                  ２２ｃ…押出部
２４…ロック機構                    ２８…連結部
３６…第１ピン                      ３８…第２ピン
４０…縦溝                          ４２…支持プレート
４４…斜め溝                        ４６…横溝
【図１】
0003156040.tif 000003
【図２】
0003156040.tif 000004
【図３】
0003156040.tif 000005
【図４】
0003156040.tif 000006
【図５】
0003156040.tif 000007